(57)【特許請求の範囲】
【請求項１】
運動靴の靴底であって、
接地面を持つアウトソール１と、
前記アウトソール１の上方に配置されたミッドソール２と、
前記アウトソール１の上面と前記ミッドソール２の上面との間の位置で、かつ、中足部５Ｍから後足部５Ｒに連なり前記アウトソール１およびミッドソール２の素材のヤング率よりも大きいヤング率を有する素材で形成されたプレート３とを備え、
前記ミッドソール２は
前記中足部５Ｍの大半および後足部５Ｒの大半の領域に設けられた低硬度領域２０と、
ショパール関節ＪＳから踵骨ＢＣの後端までの間に配置され、かつ、前記後足部５Ｒを足の長軸ＣＬに直交する横断方向Ｘに３等分した内側部２Ｍ、中央部２Ｃ及び外側部２Ｌのうちの少なくとも前記中央部２Ｃの一部及び／又は外側部２Ｌの一部に設けられた高硬度領域２１とを備え、
前記高硬度領域２１を形成する発泡体の硬度は前記低硬度領域２０のそれよりも大きく、
前記プレート３が前記高硬度領域２１の前方、真下および後方にわたって連なって配置されている。
【請求項２】
請求項１の靴底において、
前記高硬度領域２１は、前記ショパール関節ＪＳから踵骨隆起ＢＣ１の内側突起ＢＣ２までの間に配置され、
前記低硬度領域２０は、少なくとも、前記ショパール関節ＪＳよりも前方と前記内側突起ＢＣ２の後方とに配置されている。
【請求項３】
請求項１の靴底において、
前記高硬度領域２１は、前記踵骨ＢＣの前端から前記踵骨ＢＣの後端までの間に配置され、
前記低硬度領域２０は、少なくとも、前記踵骨ＢＣの前端よりも前方と前記踵骨ＢＣの後端の後方とに配置されている。
【請求項４】
請求項１の靴底において、
前記高硬度領域２１は、前記踵骨ＢＣの前端から踵骨隆起ＢＣ１の内側突起ＢＣ２までの間に配置され、
前記低硬度領域２０は、少なくとも、前記踵骨ＢＣの前端よりも前方と前記内側突起ＢＣ２の後方とに配置されている。
【請求項５】
請求項１〜４のいずれか１項の靴底において、
前記高硬度領域２１の外側端から前記外側端の反対側の端までの第１幅の平均値Ｗ１が、前記高硬度領域２１を横断する部位におけるミッドソール２の全幅Ｗの１７％〜１００％に設定されている。
【請求項６】
請求項１〜５のいずれか１項の靴底において、
前記高硬度領域２１の第１高さの平均値Ｈ１が前記高硬度領域２１が配置された部位におけるミッドソール２の全幅Ｗにおける高さの平均値Ｈの２５％〜１５０％に設定されている。
【請求項７】
請求項１〜６のいずれか１項の靴底において、
前記プレート３における前記高硬度領域２１よりも前方の前部３０の背屈時の曲げ剛性の平均値が、前記プレート３における前記高硬度領域２１よりも後方の後部３１のそれよりも大きい。
【請求項８】
請求項１〜７のいずれか１項の靴底において、
前記プレート３の幅が前記高硬度領域２１の幅よりも大きい。
【請求項９】
請求項１〜８のいずれか１項の靴底において、
前記プレート３の前端が母趾球Ｏ１の前端よりも後方に配置されている。
【請求項１０】
請求項１〜８のいずれか１項の靴底において、
前記プレート３の前端が母趾球Ｏ１の前端よりも後方で、かつ、母趾Ｂ１の中足骨Ｂ１４の骨底よりも前方の位置に設定されている。
【請求項１１】
請求項１〜１０のいずれか１項の靴底において、
前記プレート３の後端が踵骨隆起ＢＣ１の内側突起ＢＣ２よりも後方の位置に設定されている。
【請求項１２】
請求項１〜１１のいずれか１項の靴底において、
前記プレート３の前端から前記高硬度領域２１の前端までの前部３０の長さＬ３０が、前記プレート３の後端から前記高硬度領域２１の後端までの後部３１の長さＬ３１よりも長い。
【請求項１３】
請求項１〜１２のいずれか１項の靴底において、
前記高硬度領域２１を形成する発泡体の硬度が低硬度領域２０を形成する発泡体の硬度よりもＪＩＳＣ硬度で５°〜２０°大きい値に設定されている。
【請求項１４】
請求項１〜１３のいずれか１項の靴底において、
前記高硬度領域２１の前端よりも前方および後端よりも後方には、それぞれ、前記低硬度領域２０が配置されている。
【請求項１５】
運動靴の靴底であって、
接地面を持つアウトソール１と、
前記アウトソール１の上方に配置されたミッドソール２と、
前記アウトソール１の上面と前記ミッドソール２の上面との間の位置で、かつ、中足部５Ｍから後足部５Ｒに連なり前記アウトソール１およびミッドソール２のヤング率よりも大きいヤング率を有するプレート３とを備え、
前記ミッドソール２は
前記中足部５Ｍの大半および後足部５Ｒの大半の領域に設けられた易圧縮領域２０Ａと、
ショパール関節ＪＳから踵骨ＢＣの後端までの間に配置され、かつ、前記後足部５Ｒを足の長軸ＣＬに直交する横断方向Ｘに３等分した内側部２Ｍ、中央部２Ｃ及び外側部２Ｌのうちの少なくとも前記中央部２Ｃの一部及び／又は外側部２Ｌの一部に設けられ、前記易圧縮領域２０Ａを形成する素材よりも圧縮剛性の大きい難圧縮領域２１Ａとを備え、
前記プレート３が前記難圧縮領域２１Ａの前方真下および後方にわたって連なって配置され、かつ、前記プレート３の下面が前記難圧縮領域２１Ａの前方及び後方において前記アウトソール１の上面に付着されている。
【発明の詳細な説明】
【技術分野】
【０００１】
本発明はハンドボールやバスケットボールなどのインドアシューズの他、屋外におけるランニングやエクササイズとしてのウォーキングに適した運動靴の靴底に関する。
【背景技術】
【０００２】
例えば、ランニングやウォーキング等においてはクッション性の向上が追求されている。
また、ハンドボールのシュート動作では、片足で踏み切る。この片足踏み切りの際に高くジャンプできるシューズが求められている。
【先行技術文献】
【特許文献】
【０００３】
【特許文献１】ＪＰ２０００−０８３７０５Ａ（要約書）
【特許文献２】ＪＰ２００５−２７９０２０Ａ（要約書）
【特許文献３】ＪＰ２００３−００９９０３Ａ（要約書）
【特許文献４】ＪＰ２００６−０００３１１Ａ（要約書）
【特許文献５】ＪＰ２０１０−５３８７８８Ｗ（要約書）
【発明の概要】
【０００４】
図６Ａはハンドボールにおいて、ジャンプシュート時の軸足の従来のソールの動きを模式的に示す側面図である。なお、１はアウトソール、２はミッドソールである。
【０００５】
片足ジャンプ時には、走行（助走）後、軸足の後足が接地するヒールコンタクトＨＣに続いて、足裏全体が接地するフットフラットＦＦに移行する。このヒールコンタクトＨＣからフットフラットＦＦに至るまでに、前記走行の慣性を打ち消すブレーキが前記軸足に働く。
【０００６】
しかし、走行の慣性を軸足のブレーキで完全に消すことはできず、フットフラットＦＦから踵が床から離れるヒールライズの際においても、軸足にブレーキが働く。そのため、ジャンプ力にロスが生じるだろう。
また、前記走行の慣性で体重心が軸足よりも前方に移動しており、ジャンプ力を発揮しにくいだろう。
別の問題として、ヒールコンタクトＨＣからフットフラットＦＦへの移行の際、踵部の接地後に衝撃を感じる場合がある。
【０００７】
本発明の第一の目的としてはクッション性の向上、第二の目的としては片足ジャンプにおけるジャンプ高さの増加を図り得る運動靴の靴底の構造を提供することである。
【０００８】
本発明の靴底は１つの局面において、接地面を持つアウトソール１と、
前記アウトソール１の上方に配置されたミッドソール２と、
前記アウトソール１の上面と前記ミッドソール２の上面との間の位置で、かつ、中足部５Ｍから後足部５Ｒに連なり前記アウトソール１およびミッドソール２の素材のヤング率よりも大きいヤング率を有する素材で形成されたプレート３とを備え、
前記ミッドソール２は
前記中足部５Ｍの大半および後足部５Ｒの大半の領域に設けられた低硬度領域２０と、
ショパール関節ＪＳから踵骨ＢＣの後端までの間に配置され、かつ、前記後足部５Ｒを足の長軸ＣＬに直交する横断方向Ｘに３等分した内側部２Ｍ、中央部２Ｃ及び外側部２Ｌのうちの少なくとも前記中央部２Ｃの一部及び／又は外側部２Ｌの一部に設けられた高硬度領域２１とを備え、
前記高硬度領域２１を形成する発泡体の硬度は前記低硬度領域２０のそれよりも大きく
前記プレート３が前記高硬度領域２１の前方、真下および後方にわたって連なって配置されている。ここで、「ショパール関節ＪＳから踵骨ＢＣの後端までの間」とは、「ショパール関節のうち最も前端から踵骨ＢＣの後端までの間」を意味する。
【０００９】
たとえば、ハンドボール競技のジャンプシュートは、同シュート時にディフェンスとの衝突を避け、かつ、可能な限りゴールに近い位置から同シュートを行うことが好ましい。つまり、同シュート時には、走行から軸足で（片足）ブレーキをかけ、離地地点から可能な限り真上に片足ジャンプするのが好ましい。しかし、走行の慣性を軸足のブレーキで完全に消すことは難しく、したがって、前記慣性がある程度残るのは避けられないだろう。
【００１０】
本発明において、片足ジャンプ時のソールの変形および効果について図を用いて説明する。
図６Ｂは片足ジャンプ時のソールの変形を模式的に示す側面図である。
片足ジャンプ時には、まず、軸足の踵の外側寄りの後端から接地する。このヒールコンタクトＨＣの際、高硬度領域２１よりも柔軟な低硬度領域２０が斜めに圧縮され、同時に、高硬度領域２１が圧縮変形しにくく、プレート３の後部も斜めに傾く。前記プレート３は後足部５Ｒから硬い高硬度領域２１の下方を通り中足部５Ｍまで延びており、したがって、全体が下方に向かって凸となるように湾曲して（曲げ変形して）着地のエネルギを吸収し、ブレーキの力積が増大するだろう。ここで、「ブレーキの力積」とは、「ブレーキとして作用する力の積分値」を意味する。
【００１１】
前記ヒールコンタクトＨＣに続いて、足裏全体が接地するフットフラットＦＦに移行する。前記ヒールコンタクトＨＣの際に、プレート３が曲げ変形を呈し、高硬度領域２１が圧縮変形して、高硬度領域２１の見かけ上の硬度が更に上がる。それにより、プレート３が高硬度領域２１を支点として下方に向かって凸となるように曲がるが、プレート３の踵部側は曲がりにくい。その結果、踵部接地によるブレーキ力の発現後に、前記フットフラットＦＦに移行する際に足裏の全面がスムースに接地するだろう。
【００１２】
前記フットフラットＦＦの際、前記湾曲したプレート３が足裏と床面との間で挟まれて元の形状に復元する。このプレート３の復元により、床面への踏み込み力（鉛直方向力）が増大する。踏み込み力の増大はグリップ力の増大に貢献し、ブレーキの力積が増大するだろう。
【００１３】
前記フットフラットＦＦに続いて、踵が床面から離れるヒールライズに至り、更にプレーヤが上方に向かってジャンプし、足裏全体が床面から離れる。
【００１４】
ここで、前記ヒールライズの際に、走行の慣性が大きく残っていると、体重心の位置が足よりも前方に位置し、そのため、上方へのジャンプ力を発揮すると同時にブレーキをかけ続ける必要が生じ、そのため、ジャンプ高さの低下する要因となる。
【００１５】
一方、前記ヒールライズの際に、走行の慣性が小さいと、体重心の位置が足の真上に近くなり、そのため、ジャンプ力を発揮し易い。すなわち、本発明においては前述のように、ヒールコンタクトＨＣからフットフラットＦＦに至る間に走行の慣性を減少させるブレーキの力積が大きく、そのため、ジャンプ高さが高くなるだろう。
【００１６】
別の効果として、前述のように、前記ヒールコンタクトＨＣからフットフラットＦＦへの移行時に、踵部の接地後にプレート３が下方に向かって凸となるように湾曲し、アウトソール１がラウンド形状となり、足裏の全面がスムースに接地し、かつ、プレート３が板バネのように作用し、そのプレート３を含む靴底の変形でファーストストライク時の衝撃が吸収される。したがって、走行や歩行時のクッション性も向上するだろう。
【００１７】
本発明において、高硬度領域２１が、ショパール関節のうち最も前端よりも前方に配置されていたり、踵骨ＢＣの後端よりも後方に配置されていると、ヒールコンタクトＨＣ時にプレート３や低硬度領域２０の圧縮変形量が不十分になり易い。
【００１８】
“プレート３が中足部５Ｍから後足部５Ｒに連なっている” とは、プレート３に後足部５Ｒで受けた変形がプレート３の中足部５Ｍに伝わる連続性がプレート３に必要であることを意味する。
【００１９】
本発明の靴底は別の局面において、接地面を持つアウトソール１と、
前記アウトソール１の上方に配置されたミッドソール２と、
前記アウトソール１の上面と前記ミッドソール２の上面との間の位置で、かつ、中足部５Ｍから後足部５Ｒに連なり前記アウトソール１およびミッドソール２のヤング率よりも大きいヤング率を有するプレート３とを備え、
前記ミッドソール２は
前記中足部５Ｍの大半および後足部５Ｒの大半の領域に設けられた易圧縮領域２０Ａと、
ショパール関節ＪＳから踵骨ＢＣの後端までの間に配置され、かつ、前記後足部５Ｒを足の長軸ＣＬに直交する横断方向Ｘに３等分した内側部２Ｍ、中央部２Ｃ及び外側部２Ｌのうちの少なくとも前記中央部２Ｃの一部及び／又は外側部２Ｌの一部に設けられ、前記易圧縮領域２０Ａを形成する素材よりも圧縮剛性の大きい難圧縮領域２１Ａとを備え、
前記プレート３が前記難圧縮領域２１Ａの前方、真下および後方にわたって連なって配置され、かつ、前記プレート３の下面が前記難圧縮領域２１Ａの前方及び後方において前記アウトソール１の上面に付着されている。
【００２０】
この場合も前記１つの局面と同様の作用効果が期待できるかもしれない。すなわち、ミッドソール２に硬度差を設けずに、たとえば、前記プレート３により易圧縮領域２０Ａと難圧縮領域２１Ａが形成された場合も同様な効果が得られるかもしれない。
【００２１】
しかし、ミッドソール２に低硬度領域２０と高硬度領域２１とを設ける方がプレート３の挙動を想定し易く、安定したクッション性向上およびジャンプ高さ向上の効果が得られるだろう。
なお、低硬度領域２０を易圧縮領域２０Ａにし、かつ、高硬度領域２１を難圧縮領域２１Ａとした場合も、下記好ましい各例や各例の組み合わせを採用し得る。
【図面の簡単な説明】
【００２２】
【図１】図１は本発明の一実施例を示す靴底の外側面図である。なお、発明を理解し易くするために足の骨格は内側を仮想線で図示されている。
【図２】図２は同実施例にかかるミッドソールの平面図である。
【図３】図３は同ミッドソールの底面図である。
【図４】図４は同ミッドソールを斜め後方から見た斜視図である。
【図５】図５は裏側から見た同ミッドソールの斜視図である。
【図６】図６Ａは一般的な運動靴におけるジャンプ直前までの状態を示す工程図、図６Ｂは同実施例の靴底を有する運動靴におけるジャンプ直前までの状態を示す工程図である。
【図７】図７Ａおよび図７Ｂはテスト結果を示す図である。
【図８】図８は他の例を示す靴底の外側面図である。
【発明を実施するための形態】
【００２３】
好ましくは、前記高硬度領域２１は、前記ショパール関節ＪＳから踵骨隆起ＢＣ１の内側突起ＢＣ２までの間に配置され、
前記低硬度領域２０は、少なくとも、前記ショパール関節ＪＳよりも前方と前記内側突起ＢＣ２の後方とに配置されている。
【００２４】
この場合、高硬度領域２１が踵骨隆起ＢＣ１の内側突起ＢＣ２よりも前方に配置され、そのため、低硬度領域２０の圧縮量が十分に大きく、プレート３も湾曲し易いだろう。
したがって、ジャンプ高さ及びクッション性の更なる増大を図り得る。
【００２５】
好ましくは、前記高硬度領域２１は、前記踵骨ＢＣの前端から前記踵骨ＢＣの後端までの間に配置され、
前記低硬度領域２０は、少なくとも、前記踵骨ＢＣの前端よりも前方と前記踵骨ＢＣの後端の後方とに配置されている。
【００２６】
この場合、前記高硬度領域２１が前記踵骨ＢＣの前端よりも後方に配置されており、硬い高硬度領域２１により足裏に違和感が生じにくいだろう。
【００２７】
好ましくは、前記高硬度領域２１は、前記踵骨ＢＣの前端から踵骨隆起ＢＣ１の内側突起ＢＣ２までの間に配置され、
前記低硬度領域２０は、少なくとも、前記踵骨ＢＣの前端よりも前方と前記内側突起ＢＣ２の後方とに配置されている。
【００２８】
この場合、ヒールコンタクトＨＣ時の前記低硬度領域２０の圧縮量が十分に大きく、プレート３も湾曲し易いだろう。したがって、ジャンプ高さ及びクッション性の更なる増大を図り得る。
また、前記高硬度領域２１が前記踵骨ＢＣの前端よりも後方に配置されており、前記違和感が生じにくいだろう。
【００２９】
好ましくは、前記高硬度領域２１の外側端から前記外側端の反対側の端までの第１幅の平均値Ｗ１が、前記高硬度領域２１を横断する部位におけるミッドソール２の全幅Ｗの１７％〜１００％に設定されている。
【００３０】
前記第１幅Ｗ１が前記全幅Ｗの１７％よりも小さいと、前記ジャンプ高さが十分に増大しないかもしれない。一方、第１幅Ｗ１は全幅Ｗよりも大きくなることはなく、第１幅Ｗ１の最大値は全幅Ｗの１００％である。
しかし、硬い高硬度領域２１がミッドソール２の全幅にわたって設けられていると、走行時などに違和感が感じられるかもしれない。
このような理由から高硬度領域２１は全幅Ｗの１７％〜８０％程度が更に好ましく、全幅Ｗの３０％〜６７％程度が最も好ましいだろう。
【００３１】
好ましくは、前記高硬度領域２１の第１高さの平均値Ｈ１は、前記高硬度領域２１が配置された部位におけるミッドソール２の全幅Ｗにおける高さの平均値Ｈの２５％〜１５０％に設定されている。
前記第１高さの平均値Ｈ１がミッドソール２の全幅についての高さの平均値Ｈの２５％よりも小さいと、前記ジャンプ高さが十分に増大しないかもしれない。
なお、ミッドソール２の後足部５Ｒには、通常、大きな巻き上げ部分があり、前記巻き上げ部分に高硬度領域２１が片寄って設けられた場合、全幅における高さの平均値Ｈの１５０％程度になるかもしれない。
【００３２】
好ましくは、前記プレート３における前記高硬度領域２１よりも前方の前部３０の背屈時の曲げ剛性の平均値が、前記プレート３における前記高硬度領域２１よりも後方の後部３１のそれよりも大きい。
【００３３】
この場合、後部３１の曲げ剛性の平均値が前部３０のそれよりも小さく、後部３１のミッドソール２の低硬度領域２０が大きく圧縮され易いだろう。
また、この場合、前部３０の曲げ剛性の平均値が後部３１のそれよりも大きく、前記ヒールコンタクトＨＣ時に湾曲したプレート３の前部３０により大きなエネルギを吸収させることができるだろう。
したがって、この場合、ジャンプ高さの更なる増大が期待できる。
【００３４】
好ましくは、前記プレート３の幅が前記高硬度領域２１の幅よりも大きい。
【００３５】
この場合、良好な足当たりと十分なジャンプ高さの双方が向上するだろう。すなわち、前述のとおり、高硬度領域２１の第１幅Ｗ１は全幅Ｗよりも比較的小さいのが好ましく、一方、板バネのように作用するプレート３の幅は高硬度領域２１に比べ大きいのが好ましい。
【００３６】
好ましくは、前記プレート３の前端が母趾球Ｏ１の前端よりも後方に配置されている。
【００３７】
前記プレート３が母趾球Ｏ１の前端よりも前方に延びていると、ＭＰ関節の屈曲を妨げることにより、鉛直方向に蹴る力が小さくなり、ジャンプ高さの低下を招くかもしれない。このような理由から、プレート３の前端は第１〜第５趾のＭＰ関節よりも後方に設定されるのが好ましいだろう。
【００３８】
好ましくは、前記プレート３の前端が母趾球Ｏ１の前端よりも後方で、かつ、母趾Ｂ１の中足骨Ｂ１４の骨底よりも前方の位置に設定されている。
【００３９】
この場合、前記プレート３が母趾Ｂ１の中足骨Ｂ１４の骨底よりも前方の位置に設定されており、したがって、前記プレート３の長い前部３０の湾曲が大きく、ジャンプ高さの更なる増大が期待できる。
なお、骨底とは各骨における後方の関節に近い部位で若干膨らんだ部位をいい、近位骨頭とも呼ばれている。
【００４０】
好ましくは、前記プレート３の後端が踵骨隆起ＢＣ１の内側突起ＢＣ２よりも後方の位置に設定されている。
【００４１】
この場合、前記プレート３が高硬度領域２１の後端から後方に突出する突出量を確保し易い。
【００４２】
好ましくは、前記プレート３の前端から前記高硬度領域２１の前端までの前部３０の長さＬ３０が、前記プレート３の後端から前記高硬度領域２１の後端までの後部３１の長さＬ３１よりも長い。
【００４３】
この場合、短い後部３１から入力されたヒールコンタクトＨＣ時の力積が長い前部３０に蓄積される。そのため、プレート３の板バネのような機能が高まり、エネルギーの吸収効率が良いだろう。
【００４４】
好ましくは、前記高硬度領域２１を形成する発泡体の硬度が低硬度領域２０を形成する発泡体の硬度よりもＪＩＳＣ硬度で５°〜２０°大きい値に設定されている。
【００４５】
硬度差がＪＩＳＣ硬度で５°よりも小さいと、ジャンプ高さが十分に向上しないだろう。一方、前記硬度差が２０°よりも大きいと、高硬度領域２１による突き上げを感じたり、あるいは、低硬度領域２０の硬度が小さくなりすぎるだろう。
なお、一般に、低硬度領域２０は５０°〜６０°程度が好ましい。一方、高硬度領域２１は６０°〜７５°程度が好ましく、６５°〜７０°程度が最も好ましい。
【実施例】
【００４６】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲のみによって定まる。添付図面において、複数の図面における同一の部品番号は、同一または相当部分を示す。【００４７】
以下、本発明の一実施例を図１〜図７にしたがって説明する。
図１〜図５に示すように、靴底は例えばハンドボールのようなインドア競技に適した靴底で、路面に接地する接地面を持つアウトソール１と、前記アウトソール１の上に配置されたミッドソール２と、プレート３とを備える。【００４８】
ミッドソール２はその主体（大半）が発泡体からなり、たとえば、ＥＶＡ（エチレン−酢酸ビニル共重合体）などの樹脂成分を含む発泡体などの衝撃吸収に適した素材で形成される。一方、アウトソール１は、たとえば、ゴムの発泡体や非発泡体などの耐摩耗性に優れた素材で形成される。【００４９】
図２に示すように、ミッドソール２は、低硬度領域２０と高硬度領域２１とを備える。なお、図１〜図５において、高硬度領域２１には細かい網点が付され、プレート３には粗い網点が付されている。【００５０】
図１の前記ミッドソール２の発泡体は、熱可塑性の樹脂成分と任意の適宜の他の成分とを含む。前記熱可塑性の樹脂成分としては、例えば、熱可塑性エラストマーおよび熱可塑性樹脂が挙げられる。なお、ミッドソール２の後足部５Ｒなどに衝撃吸収性の高いゲルが埋設されたり、ミッドソール２の上面に中足部５Ｍを強化する周知の強化装置が設けられていてもよい。【００５１】
前記ミッドソール２の上には、図示しないインソール（中底）が挿入される。なお、前記インソールの更に上にはソックライナー（中敷き）がアッパー内に挿入される。【００５２】
前記前足部５Ｆ、中足部５Ｍおよび後足部５Ｒとは、それぞれ、図３の足の前足、中足および後足を覆う部位を意味する。【００５３】
周知のように、前記前足は５本の中足骨と１４個の趾骨からなる。前記中足は舟状骨、立方骨および３個の楔状骨からなる。前記後足は距骨および踵骨ＢＣからなる。【００５４】
図２に示すように、前記低硬度領域２０は、前足部５Ｆの大半、中足部５Ｍの大半および後足部５Ｒの大半の領域に連続的に設けられている。前記低硬度領域２０の発泡体の硬度は一般的なミッドソール材の硬度が好ましく、例えばＪＩＳＣ硬度で５０°〜６０°程度に設定される。【００５５】
図１に示すように、前記高硬度領域２１はショパール関節ＪＳから踵骨ＢＣの後端までの間に配置され、好ましくは、前記踵骨ＢＣの前端から踵骨隆起ＢＣ１の内側突起ＢＣ２までの間に配置される。この好ましい場合において、前記低硬度領域２０は、少なくとも、前記踵骨ＢＣの前端よりも前方と前記内側突起ＢＣ２の後方とに配置される。【００５６】
図２の前記高硬度領域２１は後足部５Ｒを足の長軸ＣＬに直交する横断方向に３等分した内側部２Ｍ、中央部２Ｃ及び外側部２Ｌのうちの少なくとも前記中央部２Ｃの一部及び／又は外側部２Ｌの一部に設けられ、本実施例の場合、長軸ＣＬよりも外側Ｌにのみ設けられている。なお、高硬度領域２１の真横の内側Ｍには低硬度領域２０が設けられ、したがって、低硬度領域２０は部分的に高硬度領域２１によって切り欠かれたような形状、あるいは、孔があいたような形状となっており、かつ、中足部５Ｍと後足部５Ｒとが連なっている。【００５７】
前記高硬度領域２１の発泡体は前記低硬度領域２０を形成する発泡体よりも大きい硬度を有する。好ましくは、前記高硬度領域２１を形成する発泡体の硬度が低硬度領域２０を形成する発泡体の硬度よりもＪＩＳＣ硬度で５°〜２０°大きい値に設定され、より好ましくはＪＩＳＣ硬度で１０°〜１５°程度に設定される。前記高硬度領域２１の発泡体の硬度はＪＩＳＣ硬度で例えば６５°〜７０°に設定される。【００５８】
前記高硬度領域２１の外側端から前記外側端の反対側の端までの第１幅の平均値Ｗ１は、前記高硬度領域２１を横断する部位におけるミッドソール２の全幅Ｗの４０％〜６０％に設定されている。なお、高硬度領域２１は真横に延びている必要はなく傾いていてもよい。【００５９】
図４および図１において、前記高硬度領域２１の第１高さの平均値Ｈ１は前記高硬度領域２１が配置された部位におけるミッドソール２の全幅における高さの平均値Ｈの８０％〜１００％に設定されている。【００６０】
図１に示すように、前記プレート３は前記アウトソール１の上面と前記ミッドソール２の上面との間の位置で、かつ、中足部５Ｍから後足部５Ｒに連なる。前記プレート３は前記アウトソール１およびミッドソール２の素材のヤング率よりも大きいヤング率を有する。【００６１】
本実施例の場合、プレート３はアウトソール１の上面とミッドソール２の下面との間に配置されているが、ミッドソール２が上下の２層に形成された場合などにおいて、上下のミッドソール２の間に挟まれた位置に配置されてもよい。【００６２】
図３に明示するように、前記プレート３の前端は母趾球Ｏ１の前端よりも後方で、かつ、母趾Ｂ１の中足骨Ｂ１４の骨底よりも前方の位置に配置されている。前記プレート３は図１の前記高硬度領域２１の前方、真下および後方にわたって連なって配置されている。前記プレート３の後端は踵骨隆起ＢＣ１（図１）の内側突起ＢＣ２よりも後方の位置に設定されている。
前記プレート３の前端から前記高硬度領域２１の前端までの前部３０の長さＬ３０は、前記プレート３の後端から前記高硬度領域２１の後端までの後部３１の長さＬ３１よりも長い。【００６３】
図３の前記プレート３の幅は前記高硬度領域２１の第１幅Ｗ１よりも大きく、かつ、ミッドソール２の全幅Ｗよりも若干小さい。前記プレート３の幅はミッドソール２の幅の６０％〜９５％程度が好ましい。なお、プレート３の幅が狭い場合、プレート３はミッドソール２の外側に片寄って配置されてもよい。【００６４】
前記プレート３における前記高硬度領域２１よりも前方の前部３０の背屈時の曲げ剛性の平均値は、前記プレート３における前記高硬度領域２１よりも後方の後部３１のそれよりも大きい。【００６５】
かかる平均値の関係でない場合においても、バネ効果がある程度得られるだろう。プレート３の後端の切り欠き３２は設けられていなくてもよいが、前記切り欠き３２により、プレート３の後部３１の低剛性化と低硬度領域２０の低剛性化を実現し易い。
また、プレート３には通気孔が設けられていてもよい。
更に、プレート３の後端は,例えばスカッシュ用の靴のように足の後端よりも後方まで延びていてもよい。【００６６】
つぎに、本実施例の靴底を有する運動靴の効果をハンドボールの片足ジャンプシュートについて検証した結果を示す。【００６７】
本検証には前記図１〜図５の実施例にかかるハンドボールシューズをＴｅｓｔ  ｅｘ．として用い、一方、市販のハンドボールシューズを比較例として用いた。ハンドボールのプレーヤが前記各シューズを着用し、数回のジャンプシュートを行い、図７Ａの最高到達点までのジャンプ高さと、図７Ｂの最高到達点に達するまでに前方へ跳んだ距離を測定した。【００６８】
図７Ａから分かるように、Ｔｅｓｔ  ｅｘ．の場合、比較例に比べ１５ｍｍ（数％）程度ジャンプ高さが大きかった。また、図７Ｂから分かるように、Ｔｅｓｔ  ｅｘ．の場合、比較例に比べ前方へ跳んだ距離が１００ｍｍ（１０％）程度短くなった。【００６９】
また、同ジャンプシュート時における図６Ｂおよび図６ＡのヒールコンタクトＨＣからフットフラットＦＦまでのブレーキ力の力積を測定したところ、Ｔｅｓｔ  ｅｘ．の場合、比較例に比べ、１０％程度増大していた。更に、同ジャンプシュート時におけるヒールライズにおけるブレーキ力を測定したところＴｅｓｔ  ｅｘ．の場合、比較例に比べ数％程度減少していた。【００７０】
また、最も衝撃が大きくなるファーストストライク時、つまり、ヒールコンタクトＨＣ時の荷重を測定した。その結果、Ｔｅｓｔ  ｅｘ．の場合、比較例に比べ衝撃荷重が１５％程度減少した。したがって、本靴底の構造はインドア競技だけでなく、屋外でのランニングやエクササイズとしてのウォーキングにも適していることが分かる。【００７１】
これらのテスト結果から、本発明の靴底による効果がより明らかになったことが分かる。【００７２】
つぎに、別の実施例が図８を用いて説明される。
本実施例においては、低硬度領域２０に代えて易圧縮領域２０Ａが設けられ、一方、高硬度領域２１に代えて難圧縮領域２１Ａが設けられている。【００７３】
図８の易圧縮領域２０Ａは前記中足部５Ｍの大半および後足部５Ｒの大半の領域に設けられている。一方、難圧縮領域２１Ａは図１の実施例と同じ領域に配置され、前記易圧縮領域２０Ａを形成する素材よりも圧縮剛性が大きい。【００７４】
前記プレート３は前記難圧縮領域２１Ａの前方から後方にわたって連なって配置され、かつ、前記プレート３の下面が前記難圧縮領域２１Ａの前方及び後方において前記アウトソール１の上面に付着されている。【００７５】
本実施例の場合、難圧縮領域２１Ａがプレート３の突条で形成されてもよいし、屈曲形成されたプレート３の部位にアウトソール１が入り込む構造等が採用されてもよい。【００７６】
その他の構成は図１〜図５の実施例の同様であり、その説明を省略する。【００７７】
つぎに、各実施例における高硬度領域２１及び／又は難圧縮領域２１Ａの変形例が説明される。【００７８】
図４の高硬度領域２１は略直方体のような堤状であるが、高硬度領域２１は図８のような断面が台形の堤状であってもよいし、図６Ｂのような断面が三角形などの堤状であってもよい。【００７９】
図１の高硬度領域２１はミッドソール２の下面から上面の全高さに渡って設けられているが、ミッドソール２の上下方向の一部に設けられていてもよい。また、このように高硬度領域２１が一部に設けられる場合、高硬度領域２１はミッドソール２の上部、下部又は上下の中間部分の一部に設けられていてもよい。【００８０】
図２の高硬度領域２１の平面形状は、長方形状である必要はなく、三角形状、波形状、台形状、正方形状や、これらの複数の組合せでもよい。【００８１】
たとえば、複数の正方形状の高硬度の部位が足の幅方向に互いに離間して配置され、これら複数の高硬度の部位により、１つの高硬度領域２１が形成されてもよい。その場合、高硬度領域２１の幅は、最も外側Ｌの高硬度の部位の外端から、最も内側Ｍ寄りの高硬度の部位の内端までの距離と認識すべきである。【００８２】
前記高硬度領域２１が三角形状や台形状である場合、例えば、外側部２Ｌから中央部２Ｃに向かって足長方向の長さが短くなる形状であってもよい。【００８３】
また、高硬度の部位で低硬度の部位の周囲の一部又は全部を囲って高硬度領域２１が形成されてもよい。【００８４】
前記高硬度領域２１の横断方向Ｘの配置について、ミッドソール２の外側Ｌの巻上部２２には高硬度領域２１の一部が設けられているが、同巻上部２２に高硬度領域２１が設けられていなくてもよい。また、高硬度領域２１は外側部２Ｌ又は中央部２Ｃにのみ設けられてもよい。【００８５】
以上のとおり、図面を参照しながら好適な実施例を説明したが、当業者であれば、本明細書を見て、自明な範囲内で種々の変更および修正を容易に想定するであろう。【００８６】
たとえば、オーバプロネーションを抑制するために、ミッドソール２の中足部５Ｍないし後足部５Ｒの内側に低硬度領域２０よりも硬度の大きい領域が設けられていてもよい。
また、ミッドソール２の前足部５Ｆないし中足部５Ｍの巻上部２２に、低硬度領域２０よりも硬度の大きい領域が設けられて足の横振れを抑制してもよい。
また、シューズは軸足のみに本発明の構造が適用されてもよいし、両足とも本発明の構造が適用されてもよい。【００８７】
したがって、そのような変更および修正は、本発明の範囲のものと解釈される。
【産業上の利用可能性】
【００８８】
本発明はハンドボールやバスケットボールなどのインドアシューズだけでなく、屋外におけるランニングやウォーキングなどのアスレチックシューズに適用できる。
【符号の説明】
【００８９】
１：アウトソール 
２：ミッドソール、２Ｃ：中央部、２Ｌ：外側部、２Ｍ：内側部、２２：巻上部
２０：低硬度領域、２０Ａ：易圧縮領域、
２１：高硬度領域、２１Ａ：難圧縮領域
３：プレート、３０：前部、３１：後部
５Ｆ：前足部、５Ｍ：中足部、５Ｒ：後足部
ＢＣ：踵骨、ＢＣ１：踵骨隆起、ＢＣ２：内側突起
ＣＬ：長軸
ＦＦ：フットフラット、ＨＣ：ヒールコンタクト
Ｈ：全幅高さの平均値、Ｈ１：第１高さの平均値
Ｌ：外側、Ｍ：内側
Ｏ１：母趾球
Ｗ：全幅、Ｗ１：第１幅
【要約】
アウトソールの上面とミッドソールの上面との間の位置で、かつ、中足部から後足部に連なりアウトソールおよびミッドソールよりも大きいヤング率を有するプレートとを備え、ミッドソールは中足部の大半および後足部の大半の領域に設けられた低硬度領域と、ショパール関節から踵骨の後端までの間に配置され、かつ、後足部を足の長軸に直交する横断方向に３等分した内側部、中央部及び外側部のうちの少なくとも前記中央部の一部及び／又は外側部の一部に設けられ、低硬度領域を形成する素材よりも大きい硬度を有する高硬度領域とを備え、プレートが高硬度領域の前方、真下および後方にわたって連なって配置されている。【図１】
0005591420.tif 000002
【図２】
0005591420.tif 000003
【図３】
0005591420.tif 000004
【図４】
0005591420.tif 000005
【図５】
0005591420.tif 000006
【図６】
0005591420.tif 000007
【図７】
0005591420.tif 000008
【図８】
0005591420.tif 000009